(57)【特許請求の範囲】
【請求項１】
複数の空気調和機の連携制御の制御アルゴリズムを記憶する制御アルゴリズム記憶部と、
前記制御アルゴリズムに用いられる前記複数の空気調和機の連携制御グループの作成方法を示すグループ化情報を記憶するグループ化情報記憶部と、
前記複数の空気調和機が設置される物件における前記複数の空気調和機の機器間の関係を示す物件情報を記憶する物件情報記憶部と、
前記グループ化情報と、前記物件情報とに基づいて、前記物件における前記連携制御グループを作成する連携制御グループ作成部と、
前記連携制御グループ作成部で作成された前記連携制御グループを用いて、前記制御アルゴリズム記憶部に記憶された前記制御アルゴリズムに従って、前記空気調和機の連携制御を実行する制御実行部と、を備え、
前記グループ化情報には、前記連携制御グループの識別情報と、前記連携制御グループの上位グループの識別情報と、前記上位グループとの関係を示す情報と、前記連携制御グループの機器種別を示す情報と、前記制御アルゴリズムで用いられる機器データの種別を示す情報とを含むレコードが複数含まれる、空気調和機制御装置。
【請求項２】
前記物件情報には、前記各空気調和機の冷媒系統、位置関係、制御の連動関係を含む情報が含まれており、
前記連携制御グループ作成部は、前記グループ化情報を、最上位の前記連携制御グループに対応するレコードから順番に１レコードずつ読み出しながら、前記各空気調和機の冷媒系統、位置関係、制御の連動関係を辿って前記連携制御グループに含まれる空気調和機を特定することにより、前記物件における前記連携制御グループを作成する、請求項１に記載の空気調和機制御装置。
【請求項３】
前記連携制御グループ作成部は、
最上位の前記連携制御グループに対応するレコードに複数の空気調和機が含まれる場合には、個々の空気調和機について、それぞれグループ番号が同じでインデックスが異なる前記連携制御グループを作成し、
グループ番号が同じでインデックスが異なる複数の前記連携制御グループ各々について、下位の前記連携制御グループを作成し、
前記制御実行部は、同じインデックスの前記連携制御グループの機器データを用いて演算を行って、前記空気調和機の連携制御を行う、請求項１又は２に記載の空気調和機制御装置。
【請求項４】
前記連携制御グループ作成部は、同じ空気調和機を示す情報が、前記連携制御グループに重複して含まれる場合には、重複を解消する、請求項１から３のいずれか一項に記載の空気調和機制御装置。
【請求項５】
前記制御アルゴリズム記憶部は、前記制御アルゴリズムにおける一連の処理を複数のブロックに分割した状態で記憶しており、
前記制御実行部は、ブロックごとに前記制御アルゴリズムを実行するか否かを設定可能である、請求項１から４のいずれか一項に記載の空気調和機制御装置。
【請求項６】
前記制御アルゴリズムに用いられる前記複数の空気調和機の連携制御グループの変換方法を示す変換情報を記憶する変換情報記憶部と、
前記変換情報に基づいて、変換対象となる２つの前記連携制御グループのうち、一方の前記連携制御グループの他方の前記連携制御グループへの対応付けを示す情報を作成する連携制御グループ変換部と、
前記連携制御グループ変換部で作成された前記連携制御グループ間の対応付けを示す情報を記憶する連携制御変換グループ記憶部と、をさらに備え、
前記制御実行部は、前記変換情報に定義された変換対象の前記連携制御グループの機器データを取得する際には、前記連携制御変換グループ記憶部に記憶された対応付けを示す情報に基づいて、他方の前記連携制御グループの機器データを取得し、取得した機器データを用いて前記制御アルゴリズムに従って、前記空気調和機の連携制御を実行する、請求項１から５のいずれか一項に記載の空気調和機制御装置。
【請求項７】
前記制御実行部は、一方の前記連携制御グループに含まれる１台の機器に対して他方の前記連携制御グループに含まれる複数台の機器が対応付けられている場合、前記複数台の機器の機器データの演算値を、前記制御アルゴリズムに用いる機器データとして取得する、請求項６に記載の空気調和機制御装置。
【請求項８】
コンピュータが、複数の空気調和機の連携制御の制御アルゴリズムに用いられる前記空気調和機の連携制御グループの作成方法を示すグループ化情報と、前記複数の空気調和機が設置される物件における前記複数の空気調和機の機器間の関係を示す物件情報とに基づいて、前記物件における前記連携制御グループを作成する連携制御グループ作成工程と、
コンピュータが、作成された前記連携制御グループを用いて、前記制御アルゴリズムに従って、前記空気調和機の連携制御を実行する制御実行工程と、を含み、
前記グループ化情報には、前記連携制御グループの識別情報と、前記連携制御グループの上位グループの識別情報と、前記上位グループとの関係を示す情報と、前記連携制御グループの機器種別を示す情報と、前記制御アルゴリズムで用いられる機器データの種別を示す情報とを含むレコードが複数含まれる、空気調和機制御方法。
【請求項９】
コンピュータを、
複数の空気調和機の連携制御の制御アルゴリズムに用いられる前記空気調和機の連携制御グループの作成方法を示すグループ化情報と、前記複数の空気調和機が設置される物件における前記複数の空気調和機の機器間の関係を示す物件情報とに基づいて、前記物件における前記連携制御グループを作成する連携制御グループ作成手段、
作成した前記連携制御グループを用いて、前記制御アルゴリズムに従って、前記空気調和機の連携制御を実行する制御実行手段、として機能させるプログラムであって、
前記グループ化情報には、前記連携制御グループの識別情報と、前記連携制御グループの上位グループの識別情報と、前記上位グループとの関係を示す情報と、前記連携制御グループの機器種別を示す情報と、前記制御アルゴリズムで用いられる機器データの種別を示す情報とを含むレコードが複数含まれる、プログラム。
【発明の詳細な説明】
【技術分野】
【０００１】
この発明は、空気調和機制御装置、空気調和機制御方法及びプログラムに関する。
【背景技術】
【０００２】
複数の空気調和機が設置された物件では、全体の消費電力を低下しつつ快適性を向上するために、機器単体だけでなく、複数の機器を連携制御することが行われる場合がある。例えば、物件内における空調が実施されるべき特定の位置（例えば居住者の位置）に対して、一定範囲内に設定された１台以上の機器を動的にグルーピングする空調制御装置が開示されている（例えば、特許文献１参照）。【０００３】
この空気制御装置は、空調が実施される位置が決定されると、その位置の空調を実施するための空気調和機を自動的に特定しグループ化する。グループ化された空気調和機間の連携制御により、特定の位置に対して空調が行われ、省エネ運転が実現される。
【先行技術文献】
【特許文献】
【０００４】
【特許文献１】特開２００９−１７４７３４号公報
【発明の概要】
【発明が解決しようとする課題】
【０００５】
しかしながら、上記特許文献１に開示された空調制御装置では、特定の位置に対する局所的な機器間の連携制御が可能となるにとどまる。オフィスや店舗等広い空間全体を考慮して省エネ運転を行うには、特定の位置に対して空気調和機の空調がどのように影響するかを考慮するだけでなく、各空気調和機の空調の影響が及ぶ範囲（気流が届く範囲）の重なり具合等の空間全体に渡る複数の空気調和機の空調の影響も考慮して、連携制御を行う必要がある。また、最適な連携制御を行うことができる条件は、居住空間の用途（オフィス、飲食店、サーバルーム等）、ユーザの要望、建物の断熱性等によって様々である。このような背景から、空調施工時やメンテナンス時に、物件ごとに、最適な連携制御が可能となるような設定を行う必要がある。【０００６】
空気調和機の台数、冷媒系統、リモートコントローラとの接続関係及び空間的な位置関係、すなわち物件における空気調和機の機器間の関係は、物件ごとに異なるのが通常である。例えば、空調の対象となる空間が広い大型店舗では、その空間に設置された複数の空気調和機が、それぞれ異なる冷媒系統に属する場合がある。隣接する空気調和機がそれぞれ異なる冷媒系統に属する場合、それらの空気調和機の稼動状態に応じてエネルギー効率が大きく変わることがある。連携制御の制御アルゴリズムは、このような物件における空気調和機の機器間の関係を考慮して設定される必要がある。【０００７】
１台の空気調和機制御装置で制御される空気調和機は、場合によっては１００台以上になることもある。このような場合、例えば、空調システムの施行時に、全ての機器に対応する連携制御の制御アルゴリズムを設定しようとすると、その作業量は、極めて膨大なものとなり、設定ミスの危険性も高まる。【０００８】
また、似たような物件に対しては、制御アルゴリズムを物件ごとに新規に構築するよりも、他の物件で設定された制御アルゴリズムを流用した方が、効率がよい。しかしながら、例えば、空気調和機の機器アドレスが制御アルゴリズム内で直接指定されている場合には、ある物件に適用された制御アルゴリズムを別物件に流用する際に、制御アルゴリズムで指定された全ての機器アドレスを別の物件のものに修正する必要があり、煩雑な作業が必要となっていた。そこで、ある物件に適用される制御アルゴリズムを、より容易に別の物件に流用することができる方法が求められている。【０００９】
この発明は、上記課題を解決するためになされたもので、機器間の関係等を考慮した複数の空気調和機の連携制御を行うにあたり、制御アルゴリズムの設定の作業量及び作業ミスを削減するとともに、制御アルゴリズムを他の物件にも、より容易に流用することができるようにして、快適性及び省エネ性の低下を防止することできる空気調和機制御装置等を提供することを目的とする。
【課題を解決するための手段】
【００１０】
上記目的を達成するため、この発明に係る空気調和機制御装置は、
複数の空気調和機の連携制御の制御アルゴリズムを記憶する制御アルゴリズム記憶部と、
前記制御アルゴリズムに用いられる前記複数の空気調和機の連携制御グループの作成方法を示すグループ化情報を記憶するグループ化情報記憶部と、
前記複数の空気調和機が設置される物件における前記複数の空気調和機の機器間の関係を示す物件情報を記憶する物件情報記憶部と、
前記グループ化情報と、前記物件情報とに基づいて、前記物件における前記連携制御グループを作成する連携制御グループ作成部と、
前記連携制御グループ作成部で作成された前記連携制御グループを用いて、前記制御アルゴリズム記憶部に記憶された前記制御アルゴリズムに従って、前記空気調和機の連携制御を実行する制御実行部と、を備え、
前記グループ化情報には、前記連携制御グループの識別情報と、前記連携制御グループの上位グループの識別情報と、前記上位グループとの関係を示す情報と、前記連携制御グループの機器種別を示す情報と、前記制御アルゴリズムで用いられる機器データの種別を示す情報とを含むレコードが複数含まれる。
【発明の効果】
【００１１】
この発明によれば、制御アルゴリズムに用いられる複数の空気調和機の連携制御グループの作成方法を示すグループ化情報と、物件における複数の空気調和機の機器間の関係を示す物件情報とに基づいて、連携制御グループを自動的に作成する。このようにすれば、物件における複数の空気調和機の機器間の関係を示す情報を変更するだけで、物件に適した形の連携制御グループを作成することができる。このため、制御アルゴリズムの設定の作業量及び作業ミスの発生を低減するとともに、制御アルゴリズムをより容易に別の物件に流用することができる。この結果、快適性及び省エネ性の低下を防止することできる。
【図面の簡単な説明】
【００１２】
【図１】この発明の実施の形態１に係る空調システムの基本構成を示す図である。
【図２】複数の空気調和機の接続関係の一例を示す図である。
【図３】図１の空気調和機制御装置の構成を示すブロック図である。
【図４】設定される連携制御グループ設定パラメータ群の一例を示す図である。
【図５】親グループとの関係の分類を示す図である。
【図６】制御アルゴリズムの一例を示す図である。
【図７】連携制御グループを示す情報の一例を示す図である。
【図８】この発明の実施の形態１に係る空気調和機制御装置の動作のフローチャートである。
【図９】読み出される連携制御グループの１番目のレコードを示す図である。
【図１０】１つ目のアドレスリストが作成される様子を示す図である。
【図１１】読み出される連携制御グループの２番目のレコードを示す図である。
【図１２】２つ目のアドレスリストが作成される様子を示す図である。
【図１３】読み出される連携制御グループの３番目のレコードを示す図である。
【図１４】最終的に作成されるアドレスリストの一例を示す図である。
【図１５】この発明の実施の形態２に係る空気調和機制御装置の構成を示すブロック図である。
【図１６】この発明の実施の形態２に係る連携制御グループ設定パラメータ群の一例を示す図である。
【図１７】この発明の実施の形態２に係る連携制御変換グループの一例を示す図である。
【図１８】この発明の実施の形態２に係る連携制御グループの一例を示す図である。
【図１９】この発明の実施の形態２に係る空気調和機制御装置の動作のフローチャートである。
【発明を実施するための形態】
【００１３】
以下、この発明の実施の形態について図面を参照して詳細に説明する。
【００１４】
実施の形態１．
まず、この発明の実施の形態１について説明する。
【００１５】
図１には、実施の形態１に係る空気調和機制御装置１及びその周辺機器を含む空調システムの構成が示されている。図１に示すように、空気調和機制御装置１は、空調通信ネットワーク２に接続されている。空気調和機制御装置１は、空調通信ネットワーク２を介して、複数の空気調和機の制御を行う。
【００１６】
空調通信ネットワーク２上には、空気調和機として、室外機１１、室内機１２、リモートコントローラ（以下、“リモコン”とする）１３がそれぞれ1台以上接続されている。このうち、室外機１１は、空調対象の居住空間１５（例えば、大型店舗の室内空間）の外に設置されている。一方、室内機１２及びリモコン１３は、空調対象の居住空間１５内に設置されている。
【００１７】
居住空間１５の居住者は、リモコン１３を操作することにより、室外機１１及び室内機１２に対する制御命令を入力する。室外機１１及び室内機１２は、入力された制御命令に従って、居住空間１５の空調制御を行う。
【００１８】
さらに、居住空間１５の空調を補う補機として、送風ファンや、温度センサ等の各種センサが、空調通信ネットワーク２を介して空気調和機制御装置１に接続されるようにしてもよい。
【００１９】
図１には、室外機１１、室外機１２、リモコン１３は１台しか示されていないが、実際には、それぞれ複数設けられている。図２には、複数の室外機１１、室内機１２、リモコン１３の接続関係の一例が示されている。
【００２０】
図２には、各室外機１１、各室外機１２、各リモコン１３のネットワークアドレス（以下、“機器アドレス”とする）も示されている。例えば、２台の室外機１１の機器アドレスはそれぞれ｛５１，５２｝となっている。また、５台の室内機１２の機器アドレスは、それぞれ｛１，２，３，４，５｝となっている。さらに、３台のリモコン１３の機器アドレスは、それぞれ｛１０１，１０２，１０３｝となっている。
【００２１】
各室外機１１には、１台以上の室内機１２が接続されている。また、リモコン１３は、１台以上の室内機１２に接続されている。例えば、機器アドレス５１の室外機１１には、冷媒管を介して、機器アドレス１、２、３の室内機１２が接続されている。また、機器アドレス５２の室外機１１には、冷媒管を介して、機器アドレス４、５の室内機１２が接続されている。さらに、機器アドレス１０１のリモコン１３は、通信線を介して、機器アドレス１、２の室内機１２に接続されている。機器アドレス１０１のリモコン１３の操作により、機器アドレス１，２の室内機１２は連動する。また、機器アドレス１０２のリモコン１３は、通信線を介して、機器アドレス３の室内機１２に接続されている。また、機器アドレス１０３のリモコン１３は、通信線を介して、機器アドレス４、５の室内機１２に接続されている。機器アドレス１０３のリモコン１３の操作により、機器アドレス４、５の室内機１２は連動する。
【００２２】
図３には、空気調和機制御装置１の構成が示されている。図３に示すように、空気調和機制御装置１は、グループ化情報記憶部２０、物件情報記憶部２１、制御アルゴリズム記憶部２２、連携制御グループ作成部２３、連携制御グループ記憶部２４及び制御実行部２５を備える。
【００２３】
グループ化情報記憶部２０は、複数の空気調和機（１１、１２、１３）の連携制御グループの作成方法を示すグループ化情報を記憶する。このグループ化情報を以下では、連携制御グループ設定パラメータ群ともいう。連携制御グループは、連携制御の制御アルリズムに用いられるグループであり、その処理の実行単位に対応するグループである。この連携制御グループ設定パラメータ群は、連携制御の制御アルゴリズムを構築する開発者により設定される。
【００２４】
図４には、グループ化情報記憶部２０に記憶される連携制御グループ設定パラメータ群の一例が示されている。
【００２５】
連携制御グループ設定パラメータ群には、連携制御グループの種別ごとに定義された複数のグループ種別のレコードが複数含まれている。各レコードには、グループ番号、親グループ番号、親グループとの関係、機器種別、データ種別が含まれている。
【００２６】
グループ番号は、その連携制御グループの識別番号である。親グループ番号は、そのグループの親となるグループ（上位グループ）の識別番号である。
【００２７】
親グループとの関係は、空調を実施する上で影響し合う上位グループの機器とどのような関係にあるかを示している。図５には、“親グループとの関係”の選択肢の一例が示されている。図５に示すように、“親グループとの関係”は、“冷媒系統”、“空間”、“制御”の３種類に分類される。
【００２８】
各レコードにおける“親グループとの関係”には、“親グループとの関係”に対応付けられた関係種別の中から１つが選択される。例えば、図５に示すように、親グループの空気調和機と同じ冷媒管で接続されている場合、すなわち“冷媒系統”が同じである場合に、連携制御グループ設定パラメータ群の“親グループとの関係”として、“同一系統”が設定される。
【００２９】
また、“空間”に分類される関係として、グループ内の空気調和機が、親グループの空気調和機の最も近くにある場合に、“親グループとの関係”として、“最近傍”が設定される。また、グループ内の空気調和機が、親グループの空気調和機と、空調の影響が届く範囲内にある場合に、“親グループとの関係”として、“影響範囲内”が設定される。さらに、グループ内の空気調和機が、親グループの空気調和機よりも部屋の窓側にある場合に、“親グループとの関係”として、“窓側”が設定される。
【００３０】
また、“制御”に分類される関係として、グループ内の空気調和機が、親グループの空気調和機と、同じリモコン１３から操作指令を受け付け、“制御”が“連動関係”にある場合に、“親グループとの関係”として、“同一連動”が設定される。
【００３１】
図４に戻り、連携制御グループ設定パラメータ群では、グループ番号＝０の連携制御グループが最上位のグループとなる。この機器グループを第１の機器グループとする。第１の機器グループには、機器種別（室外機）とデータ種別（吸い込み温度）のみが指定されている。第１の機器グループでは、空調システム内の全ての空気調和機が制御対象となる。
【００３２】
第１の機器グループよりも下位グループとなる第２の機器グループ以降では、既に設定されている機器グループのうちの１つを親グループとして、親グループとの関係が指定される。第２の機器グループには、親グループとの関係を満たし、“機器種別”に一致する全ての空気調和機が、同じ連携制御グループに含まれるようになる。例えば、グループ番号１の連携制御グループは、親グループ番号が“０”であり、親グループとの関係が“同一系統”であり、機器種別が“室内機”であり、データ種別が“設定温度”となっている。また、グループ番号２の連携制御グループは、親グループ番号が“１”であり、親グループとの関係が“同一連動”であり、機器種別が“リモコン”であり、データ種別が“ＯＮ＿ＯＦＦ”となっている。上記のような連携制御グループ設定パラメータ群に基づいて、全ての連携制御グループが、機器間の関係の連鎖で決定されるようになる。
【００３３】
制御アルゴリズム記憶部２２には、複数の空気調和機（１１、１２、１３）の連携制御の制御アルゴリズムが記憶される。制御アルゴリズムには、連携制御グループに含まれる空気調和機の機器データを用いた演算処理と、演算処理によって求められた制御値の設定処理が記述されている。制御アルゴリズムは、物件ごとに、ユーザのニーズや居住空間の利用方法に応じて設定可能であるが、同一の制御アルゴリズムを、複数の物件で利用することも可能である。
【００３４】
図６には、制御アルゴリズムの一例が示されている。図６において、ＤＡＴＡｎは、連携制御グループｎ（ｎ＝１、２、３、…）の機器データを表す。ｎが、作成された連携制御グループの数を超えている場合には、超える分のＤＡＴＡｎについての演算については行わないようにすることができる。また、超える分のＤＡＴＡｎについて、ある程度推定可能であれば、その推定値を用いるようにしてもよい。さらに、演算の中間値（演算の過程で算出された値）を用いるようにしてもよい。
【００３５】
制御アルゴリズムの記述方法には、例えば、演算の引数として、演算項と結果を格納する変数をとるマクロを連続的に記述する方法がある。
【００３６】
物件情報記憶部２１には、複数の空気調和機（１１、１２、１３）が設置される物件における複数の空気調和機（１１、１２、１３）の機器間の関係を示す物件情報、すなわちレイアウト情報が記憶されている。レイアウト情報は、例えば、図２に模式的に示される空気調和機（１１、１２、１３）の接続関係（室内機と室外機との冷媒系統又はリモコンと室内機との連動関係）と、各空気調和機（１１、１２、１３）の設置位置とを示すものである。冷媒系統においては、熱交換器を備える室外機、室内機、除加湿器等の機器のうち、一連の冷媒管で接続されている複数の機器が、同一の冷媒系統の機器として分類される。レイアウト情報は、例えば、空調システムの施工時に物件ごとに作成され、物件情報記憶部２１に記憶される。図２は、物件情報記憶部２１に記憶される情報のうち、室内機１２と室外機１１との冷媒系統又はリモコン１３と室内機１２との連動関係を模式的に示したものである。
【００３７】
なお、レイアウト情報には、物件の各フロアにおける各機器の設置位置の位置座標と、設置の向き（法線方向）が含まれていてもよい。また、レイアウト情報には、空気調和機ごとに、自分の設置位置から一定範囲内に設置された機器を示す情報が含まれていてもよい。
【００３８】
連携制御グループ作成部２３は、グループ化情報記憶部２０に記憶されたグループ化情報（連携制御グループ設定パラメータ群）と、物件情報記憶部２１に記憶された物件情報（レイアウト情報）とに基づいて、連携制御グループを作成する。
【００３９】
連携制御グループ記憶部２４は、連携制御グループ作成部２３で作成された連携制御グループを示す情報を記憶する。この情報には、連携制御グループを構成する空気調和機（１１、１２、１３）の機器アドレスのリストが含まれる。
【００４０】
図７には、連携制御グループを示す情報の一例が示されている。図７に示すように、この情報では、グループ番号、インデックス及び機器アドレスリストが対応付けされている。グループ番号は、そのグループの識別番号である。インデックスについては、後述する。機器アドレスリストには、そのグループに含まれる空気調和機の機器アドレスが登録されている。機器アドレスリストには、連携制御グループ設定パラメータ群に設定された内容を満たす空気調和機のアドレスが登録される。
【００４１】
ただし、第１の機器グループ（グループ番号＝０）に限り、設定内容を満たす機器が複数存在する場合には、それぞれの機器が、インデックスが異なる別のグループに分類される。すなわち、第２の機器グループ以降では、第１の機器グループの設定内容を満たす機器（すなわち室外機１１）の数と同数であり、グループ番号が同じでインデックスの異なる連携制御グループが作成される。
【００４２】
制御実行部２５は、グループ化情報記憶部２０で作成された連携制御グループを用いて、制御アルゴリズム記憶部２２に記憶された制御アルゴリズムに従って、空気調和機の連携制御を実行する。制御アルゴリズムには、演算処理及び制御値の設定処理が記述されており、制御実行部２５は、記述された処理を順番に実行する。この演算処理及び制御値の設定処理により、最終的に決定された制御値を含む制御命令が、空調通信ネットワーク２を介して各空気調和機（１１、１２、１３）に送信される。各空気調和機（１１、１２、１３）は、受信した制御命令に従って空調制御を行う。
【００４３】
空気調和機制御装置１は、コンピュータである。このコンピュータのプロセッサがメモリに格納されたプログラムを実行することにより、図３に示す各種構成要素の機能を実現する。
【００４４】
次に、この発明の実施の形態１に係る空気調和機制御装置１の動作について説明する。
【００４５】
図８には、空気調和機制御装置１の動作のフローチャートが示されている。空気調和機（１１、１２、１３）の機器間の接続関係は、図２に示すような構成になっているものとする。
【００４６】
この実施の形態に係る空気調和機制御装置１は、電源投入時に設置されている物件を示すレイアウト情報（空気調和機の設置位置又は冷媒系統のデータ）と、グループ化情報記憶部２０に記憶された情報（連携制御グループ設定パラメータ群）とに基づいて、空気調和機（１１、１２、１３）の連携制御グループを作成する。なお、空気調和制御装置１は、グループ作成処理を行った後に、作成した連携制御グループを示す情報を不揮発メモリへ記憶する機能を有するようにしてもよい。この場合、例えば、その設置位置で空気調和機（１１、１２、１３）が初めて作動する際に、空気調和制御装置１が、一度だけグループ作成処理を実行し、その不揮発性メモリに、連携制御グループを示す情報を記憶すればよい。
【００４７】
ステップＳ１００〜Ｓ３０３は、連携制御グループ作成部２３が、連携制御グループ設定パラメータ群と、物件情報（レイアウト情報）に基づいて、連携制御グループを作成する処理である。
【００４８】
まず、連携制御グループ作成部２３は、グループ化情報記憶部２０に記憶された連携制御グループ設定パラメータ群から１レコード読み出す（ステップＳ１００）。ここで、図９に示すように、太枠で示される第１の機器グループのレコードが読み出される。
【００４９】
続いて、連携制御グループ作成部２３は、読み出したレコードのグループ番号が０であるか否かを判定する（ステップＳ２００）。読み出したレコードのグループ番号が０である場合（ステップＳ２００；Ｙｅｓ）、連携制御グループ作成部２３は、ステップＳ２０１、Ｓ２０２を実行する。
【００５０】
グループ番号＝０のレコードには、機器種別とデータ種別のみが設定されている（図４参照）。そこで、まず、連携制御グループ作成部２３は、物件情報記憶部２１に記憶されたレイアウト情報を参照して、空調システム内の全ての機器から、機器種別と一致する機器を検索する（ステップＳ２０１）。例えば、図９に示すレコードが読み出されていた場合、グループ番号０に対応する機器種別は、“室外機”であり、データ種別は、“吸い込み温度”であるので（図４参照）、レイアウト情報によれば、検索の結果として、機器アドレス５１、５２の室外機１１が取得される（図２参照）。
【００５１】
続いて、連携制御グループ作成部２３は、検索した機器を連携制御グループ記憶部２４に記憶する（ステップＳ２０２）。ここでは、機器１つにつき、１つの連携制御グループが作成され、複数の機器が検出された場合には、インデックスの異なる同じグループ番号の連携制御グループとして設定される。例えば、上述のように、機器アドレス５１、５２の室外機１１が検出された場合には、図１０に示すように、１つ目のアドレスリストとして、グループ番号が０であり、インデックスが０であり、機器アドレスリストが５１であるアドレスリストが作成される。さらに、２つ目のアドレスリストとして、グループ番号が０であり、インデックスが１であり、機器アドレスリストが５２であるアドレスリストが作成される。
【００５２】
以降、ステップＳ２０１、Ｓ２０２を、まとめてステップＳ１とも呼ぶ。
【００５３】
続いて、連携制御グループ作成部２３は、連携制御グループ設定パラメータ群のレコードを全て読み出したか否かを判定する（ステップＳ４００）。全てを読み出していない場合（ステップＳ４００；Ｎｏ）、連携制御グループ作成部２３の処理は、ステップＳ１００に戻る。
【００５４】
連携制御グループ作成部２３は、グループ化情報記憶部２０に記憶された連携制御グループ設定パラメータ群から１レコードを読み出す（ステップＳ１００）。例えば、図１１に示すように、太枠で示されるグループ番号１のレコードが読み出される。
【００５５】
続いて、連携制御グループ作成部２３は、読み出したレコードのグループ番号が０であるか否かを判定する（ステップＳ２００）。
【００５６】
読み出したレコードのグループ番号が０でない場合（ステップＳ２００；Ｎｏ）、連携制御グループ作成部２３は、ステップＳ３０１〜Ｓ３０３を実行する。
【００５７】
まず、連携制御グループ作成部２３は、既に作成した連携制御グループの機器アドレスリストから、親グループ番号を検索する（ステップＳ３０１）。ここでは、グループ番号が１のレコードが読み出されているので、親グループ番号として０が検索され（図４参照）、インデックス＝０、１の２つの機器アドレスリストが読み出される（図１０参照）。
【００５８】
続いて、連携制御グループ作成部２３は、物件情報記憶部２１に記憶された物件情報（レイアウト情報）を参照して、インデックスごとに、設定内容を満たす機器を検索する（ステップＳ３０２）。例えば、｛グループ番号＝０、インデックス＝０、機器アドレスリスト＝５１｝という親グループに対して設定内容｛親グループとの関係＝同一系統、機器種別＝室内機｝を満たす機器が検索される（図４参照）。この場合、検索される機器は、機器アドレス１、２、３の室内機１２であり、ここで、｛室内機：１，２，３｝という機器アドレスリストが取得される。
【００５９】
また、｛グループ番号＝１、インデックス＝０、機器アドレスリスト＝５２｝という親グループに対して設定内容｛親グループとの関係＝同一系統、機器種別＝室内機｝を満たす機器が検索される（図４参照）。この場合、検索される機器は、アドレス４、５の室内機１２であり、ここで、｛室内機：４，５｝という機器アドレスリストが取得される。
【００６０】
続いて、連携制御グループ作成部２３は、取得された機器アドレスリストを、親グループと同じインデックスの連携制御グループの機器アドレスリストとして連携制御グループ記憶部２４に格納する（ステップＳ３０３）。例えば、｛室内機：１、２、３｝が検索された場合、図１２に示すように、｛グループ番号＝１、インデックス＝０、機器アドレスリスト＝１，２，３｝が連携制御グループの機器アドレスリストとして登録される。また、｛室内機：４，５｝が検出された場合は、図１２に示すように、｛グループ番号＝１、インデックス＝１、機器アドレスリスト＝４，５｝が連携制御グループの機器アドレスリストとして記憶される。
【００６１】
以降、ステップＳ３０１、Ｓ３０２、Ｓ３０３を、まとめてステップＳ２とも呼ぶ。
【００６２】
続いて、連携制御グループ作成部２３は、連携制御グループ設定パラメータ群のレコードを全て読み出したか否かを判定する（ステップＳ４００）。全てを読み出していない場合（ステップＳ４００；Ｎｏ）、連携制御グループ作成部２３の処理は、ステップＳ１００に戻る。
【００６３】
連携制御グループ作成部２３は、グループ化情報記憶部２０に記憶された連携制御グループ設定パラメータ群から１レコード読み出す（ステップＳ１００）。ここでは、例えば、図１３に示すように、太枠で示されるグループ番号２のレコードが読み出される。
【００６４】
続いて、連携制御グループ作成部２３は、読み出したレコードのグループ番号が０であるか否かを判定する（ステップＳ２００）。
【００６５】
読み出したレコードのグループ番号が０でない場合（ステップＳ２００；Ｎｏ）、連携制御グループ作成部２３は、ステップＳ３０１〜Ｓ３０３を実行する。
【００６６】
まず、連携制御グループ作成部２３は、既に作成した連携制御グループの機器アドレスリスト中から、親グループ番号を検索する（ステップＳ３０１）。ここでは、グループ番号＝２のレコードが読み出されているので、親グループ番号として１が検索され（図４参照）、インデックス＝０、１の２つの機器アドレスリストが読み出される（図１２参照）。
【００６７】
続いて、連携制御グループ作成部２３は、物件情報記憶部２１に記憶されたレイアウト情報を参照して、インデックスごとに、設定内容を満たす機器を検索する（ステップＳ３０２）。例えば、｛グループ番号＝１、インデックス＝０、機器アドレスリスト＝１，２，３｝という親グループに対して設定内容｛親グループとの関係＝同一連動、機器種別＝リモコン｝を満たす機器が検索される（図４参照）。
【００６８】
例えば、｛グループ番号＝１、インデックス＝０、機器アドレスリスト＝１，２，３｝という親グループに対して｛親グループとの関係＝同一連動、機器種別＝リモコン｝という設定内容を満たす機器を検索すると、｛リモコン：１０１，１０１，１０２｝という機器アドレスリストが得られる（図２参照）。
【００６９】
このように、設定内容を満たす機器リストには、同じ機器が重複して含まれる場合がある。この場合は、連携制御グループ作成部２３は、重複を解消してから連携制御グループに格納する。例えば、この機器リストを、連携制御アドレスリストに格納する場合は、重複を解消し、｛グループ番号＝２、インデックス＝０、機器アドレスリスト＝１０１，１０２｝とする。これにより、重複による処理の無駄を省くことができる。
【００７０】
また、｛グループ番号＝１、インデックス＝１、機器アドレスリスト＝４，５｝という親グループに対して設定内容｛親グループとの関係＝同一連動、機器種別＝リモコン｝を満たす機器が検索される（図４参照）。この場合、検索される機器は、機器アドレス１０３のリモコン１３であり、｛１０３｝という機器リストが取得される（図２参照）。
【００７１】
続いて、連携制御グループ作成部２３は、機器アドレスリストを親グループと同じインデックスの連携制御グループの機器アドレスリストに格納する（ステップＳ３０３）。例えば、｛リモコン：１０１，１０２｝が検出された場合は、図１４に示すように、｛グループ番号＝２、インデックス＝０、機器アドレスリスト＝１０１，１０２｝と、｛グループ番号＝２、インデックス＝１、機器アドレスリスト＝１０３｝という連携制御アドレスリストが記憶される。
【００７２】
続いて、連携制御グループ作成部２３は、連携制御グループ設定パラメータ群のレコードを全て読み出したか否かを判定する（ステップＳ４００）。このように、連携制御グループ設定パラメータ群のレコードを全て読み出すまで（ステップＳ４００；Ｙｅｓ）、連携制御グループ作成部２３は、ステップＳ１００〜Ｓ３０３の処理を繰り返し行う。この繰り返しにより、全ての連携制御グループが得られる（図７参照）。
【００７３】
連携制御グループ設定パラメータ群のレコードを全て読み出した場合（ステップ；Ｙｅｓ）、制御実行部２５が、連携制御グループに対応する制御アルゴリズムに従って、連携制御グループに含まれる空気調和機の連携制御を実行する（ステップＳ４０１〜ステップＳ４０３）。
【００７４】
連携制御グループの作成が終了した後は、制御実行部２５は、ステップＳ４０１〜ステップＳ４０３を一定の周期で繰り返し実行し、制御アルゴリズム記憶部２２に設定された機器制御を行う。
【００７５】
まず、制御実行部２５は、全ての連携制御グループについて機器データを取得する（ステップＳ４０１）。例えば、図７に示す第１の機器グループの場合、｛機器アドレスリスト＝５１｝の機器から｛データ種別＝吸い込み温度｝のデータが取得される。
【００７６】
続いて、制御実行部２５は、取得した機器データに基づいて、制御アルゴリズムに設定された演算を実行する（ステップＳ４０２）。
【００７７】
また、グループ番号が同じでインデックスの異なる複数の連携制御グループが存在する場合、制御実行部２５は、同じインデックスの連携制御グループの機器データ同士で演算を行う。
【００７８】
例えば、図６に示す制御アルゴリズムによれば、｛グループ番号＝０、インデックス＝０｝の連携制御グループのデータ（室外機１１の吸い込み温度）が３５度より大きければ、｛グループ番号１、インデックス＝０｝の連携制御グループの機器データ（室内機１２の設定温度）に２２度がレコードされる。また、｛グループ番号２、インデックス＝０｝の連携制御グループの機器データ（リモコンのオンオフ）に１（オン）がレコードされる。一方、｛グループ番号＝０、インデックス＝１｝の連携制御グループの機器データ（吸い込み温度）が３５度以下であれば、インデックス＝０の演算に関わらず、｛グループ番号１、インデックス＝１｝の連携制御グループの機器データ（室内機の設定温度）及び｛グループ番号２、インデックス＝１｝の連携制御グループの機器データ（リモコンのオンオフ）への数値のレコードは、実行されない。
【００７９】
最後に、制御実行部２５は、制御アルゴリズムの演算結果で機器データの設定が行われた連携制御グループの空気調和機に対し、制御命令を、空調通信ネットワーク２を介して送信する（ステップＳ４０３）。この制御命令に従って、各空気調和機が連携制御される。
【００８０】
このように、グループ化情報記憶部２０には、連携制御グループの作成方法を示すグループ化情報（連携制御グループ設定パラメータ群）が記憶されている。グループ化情報の各レコードは、連携制御グループのグループ番号と、連携制御グループの親グループの識別情報と、親グループとの関係と、連携制御グループの機器種別と、制御アルゴリズムで用いられる機器データの種別とを含んでいる。また、物件情報記憶部２１には、複数の空気調和機（１１、１２、１３）の機器間の関係を示す物件情報、すなわちレイアウト情報が記憶されている。レイアウト情報は、各空気調和機の冷媒系統、位置関係、制御の連動関係を含む情報である。連携制御グループ作成部２３は、連携制御グループ設定パラメータ群を、最上位の連携制御グループに対応するレコードから順番に１レコードずつ読み出しながら、各空気調和機（１１、１２、１３）の冷媒系統、位置関係、制御の連動関係を辿って連携制御グループに含まれる空気調和機を特定することにより、物件における連携制御グループを作成する。
【００８１】
また、連携制御グループ作成部２３は、最上位の連携制御グループに対応するレコードに複数の空気調和機が含まれている場合には、個々の空気調和機について、それぞれグループ番号が同じでインデックスが異なる連携制御グループを作成する。そして、連携制御グループ作成部２３は、グループ番号が同じでインデックスが異なる複数の連携制御グループ各々について、下位の連携制御グループを作成する。制御実行部２５は、同じインデックスの連携制御グループの機器データを用いて演算を行って、空気調和機の連携制御を行う。
【００８２】
以上詳細に説明したように、この実施の形態によれば、制御アルゴリズムでの処理の実行単位に対応する複数の空気調和機（１１、１２、１３）の連携制御グループの作成方法を示すグループ化情報（連携制御グループ設定パラメータ群）と、物件における複数の空気調和機（１１、１２、１３）の物件情報（レイアウト情報）とに基づいて、連携制御グループを自動的に作成する。この場合、制御アルゴリズム及び連携制御グループ設定パラメータ群については、物件に応じて変更する必要がなく、レイアウト情報を変更するだけでよい。このため、制御アルゴリズムの設定の作業量及び作業ミスを削減するとともに、制御アルゴリズムをより容易に流用することができる。この結果、快適性及び省エネ性の低下を防止することできる。
【００８３】
また、この実施の形態によれば、空気調和機（１１、１２、１３）の機器間に構築されている関係を連鎖的に辿ることにより、機器の台数に関わらず、同じ作業量で空気調和機（１１、１２、１３）の連携制御グループを作成することができる。また、機器アドレスやレイアウトに関わらず同じ制御アルゴリズムを複数の異なる物件で流用することができる。
【００８４】
また、全ての物件で同じ制御アルゴリズムを採用する場合は、空気調和機制御装置１の製造時に、制御アルゴリズムを設定さえしておけばよい。この場合、物件における空気調和機（１１、１２、１３）の施工時には、物件に応じたレイアウト情報を、物件情報記憶部２１に記憶する作業のみ行えばよい。このため、空気調和機（１１、１２、１３）の設置コストを削減することもできる。
【００８５】
また、この実施の形態では、基準となる第１の機器グループ（グループ番号０）については、機器種別が合致する機器１台ずつについて、インデックス（通し番号）の異なる連携制御グループを作成する。このように、第１の機器グループを、必ず単一の機器からなるグループとすることで、同一のインデックスの機器グループには、空調の観点から関連する機器だけを登録することができる。
【００８６】
このように、第１の機器グループのみ、設定内容を満たす機器を１台ずつ異なるグループとして扱うようにすれば、部屋、フロア、系統が異なりお互いの運転の相互効果が全くみられない機器を連携制御させてしまい、意図した制御効果が出なくなるのを防ぐことができる。
【００８７】
また、ある物件に適用された制御アルゴリズムを別の物件に流用する場合、レイアウト情報を更新するだけで制御アルゴリズムを修正することなく再利用することができる。しかしながら、制御アルゴリズムを部分的に再利用したい場合もある。例えば、室内機１２の設定温度を自動設定する省エネ制御と、風向を自動設定する完全に独立して実行される制御を同時に行っている物件があり、一方の制御アルゴリズムのみ別物件で再利用したい場合等である。この実施の形態では、このような場合にも有効である。
【００８８】
この実施の形態では、制御アルゴリズムを、一連の演算処理及び制御値の設定処理のレコードからなるものとした。しかしながら、制御アルゴリズムにおける一連の処理を、２つ以上のブロックに分割し、ブロックごとに制御を実行するか否かを、施工時の作業者の操作により又は施工後のユーザ操作により、設定できるようにしてもよい。このようにすれば、一部の制御アルゴリズムしか再利用できない場合であっても、制御アルゴリズムの改修を行う必要が無くなるので、改修の際のミスや作業量を削減することができる。
【００８９】
なお、この実施の形態では、グループ化情報記憶部２０に記憶されたグループ化情報として、図５に示す“空間”に関するものは規定されていないが、“最近傍”、“影響範囲内”、“窓側”等の設定がなされた連携制御グループを、グループ化情報に設定することも可能である。この場合、連携制御グループ作成部２３によって最も近くにある機器、空調の影響が届く範囲内にある機器、部屋の窓側にある機器等の機器の位置関係に応じた連携制御グループを作成し、制御実行部２５が、これらの連携制御グループを用いて、機器の位置関係に応じた連携制御を行うことが可能となる。
【００９０】
実施の形態２．
次に、この発明の実施の形態２について説明する。
【００９１】
図１５に示すように、この実施の形態に係る空気調和機制御装置１は、上記実施の形態１と同様に、グループ化情報記憶部２０、物件情報記憶部２１、制御アルゴリズム記憶部２２、連携制御グループ作成部２３、連携制御グループ記憶部２４、制御実行部２５を備える。この実施の形態にかかる空気調和機制御装置１は、これらの構成要素に加え、連携制御グループ変換部２６及び連携制御変換グループ記憶部２７をさらに備える。
【００９２】
連携制御グループ変換部２６は、連携制御グループ記憶部２４に記憶されている連携制御グループの中から２つのグループを選択する。連携制御グループ変換部２６は、選択した２つのグループのうちの一方の連携制御グループの他方の連携制御グループへの対応付けを行う。
【００９３】
連携制御グループの対応付け処理（変換方法）を示す変換情報のレコードは、制御アルゴリズムを設定する作業者によって、グループ化情報記憶部２０に設定される。この実施の形態では、グループ化情報記憶部２０が、変換情報記憶部に対応する。グループ化情報記憶部２０にグループ間の対応付け処理を示す変換情報を設定する場合には、図１６に示すように、連携制御グループ設定パラメータ群において、変換元のグループ番号が、親グループ番号に代わって設定され、変換先のグループ番号が、機器種別に代わって設定される。親グループとの関係には、“変換”が設定される。
【００９４】
例えば、図１６に示すように、グループ番号“３”のレコードは、親グループ番号（変換元のグループ番号）として“１”が設定され、親グループとの関係として“変換”が指定され、機器種別（変換先のグループ番号）として、“２”が設定される。これは、グループ番号が“１”の連携制御グループを、グループ番号“２”の連携制御グループに対応付けすることを示している。
【００９５】
連携制御変換グループ記憶部２７は、連携制御グループ変換部２６が２つの連携制御グループのうちの一方の連携制御グループ（変換先グループ）の他方の連携制御グループ（変換元グループ）への対応付けを示す情報、すなわち連携制御変換グループを記憶する。図１７には、連携制御変換グループ記憶部２７に記憶される連携制御変換グループの一例が示されている。
【００９６】
図１７に示すように、連携制御変換グループには、グループ番号、インデックス、データ取得機器アドレスリストが含まれている。グループ番号は、グループ化情報記憶部２４に記憶されたグループ番号である。インデックスは、ベースとなった２つの連携制御グループのインデックスである。データ取得機器アドレスリストは、機器データを取得する機器、すなわち変換元の連携制御グループの機器アドレスのリストである。
【００９７】
図１８には、連携制御グループ記憶部２４に記憶された連携制御グループが示されている。図１８に示すように、この実施の形態では、連携制御グループとして、グループ番号“３”、インデックス番号“０”、機器アドレスリスト“１０１、１０２”のグループと、グループ番号“３”、インデックス番号“１”、機器アドレスリスト“１０３”のグループとが新たに登録されている。これが一方の連携制御グループ（変換先グループ）である。
【００９８】
図１７と図１８とを比較するとわかるように、連携制御変換グループのデータ取得機器アドレスリスト（変換元の機器アドレス）は、連携制御グループにおける変換先の機器アドレスリストの各要素に割り振られている。この場合、図１７に示すように、複数の機器アドレスが同一の要素に対応付けられることもある。
【００９９】
制御実行部２５は、一方の連携制御グループ（変換先グループ）の機器データが、制御アルゴリズムの処理対象となったときに、連携制御変換グループ記憶部２７に記憶された連携制御変換グループに基づいて、他方の連携制御グループ（変換元グループ）の機器データを取得し、取得した機器データを用いて制御アルゴリズムを実行する。
【０１００】
図１９には、空気調和機制御装置１の動作のフローチャートが示されている。
【０１０１】
図１９に示すように、まず、連携制御グループ作成部２３は、グループ化情報記憶部２０に記憶された連携制御グループ設定パラメータ群から１レコード読み出す（ステップＳ１００）。
【０１０２】
続いて、連携制御グループ作成部２３は、読み出したレコードのグループ番号が０であるか否かを判定する（ステップＳ２００）。読み出したレコードのグループ番号が０である場合（ステップＳ２００；Ｙｅｓ）、連携制御グループ作成部２３は、ステップＳ１（ステップＳ２０１、Ｓ２０２）を実行する。
【０１０３】
読み出したレコードのグループ番号が０でない場合（ステップＳ２００；Ｎｏ）、連携制御グループ作成部２３は、親グループとの関係が“変換”であるか否かを判定する（ステップＳ６００）。親グループとの関係が“変換”でない場合（ステップＳ６００；Ｎｏ）、連携制御グループ作成部２３は、ステップＳ２（ステップＳ３０１〜Ｓ３０３）を実行する。
【０１０４】
親グループとの関係が“変換”である場合（ステップＳ６００；Ｙｅｓ）、連携制御グループ変換部２６は、グループ対応付け処理（ステップＳ５０１〜Ｓ５０５）を実行する。図１６に示す例では、グループ番号＝３のレコードを読み込んだ場合に、ステップＳ５０１〜Ｓ５０５が実行される。
【０１０５】
まず、連携制御グループ変換部２６は、連携制御グループから、変換元、変換先のグループを検索する（ステップＳ５０１）。図１６に示す例では、変換元の連携制御グループのグループ番号が１となり、変換先の連携制御グループのグループ番号が２となる。連携制御グループを検索すると、各グループ番号１、２について、インデックス＝０の変換元、変換先の連携制御グループと、インデックス＝１の変換元、変換先の連携制御グループとが、抽出される。
【０１０６】
次に、連携制御グループ変換部２６は、抽出された変換元、変換先の機器グループ間の関係を抽出する（ステップＳ５０２）。同じインデックスのグループは、必ずグループ番号＝０の連携制御グループから機器間の関係を連鎖的に辿ることで作成されている。このため、同じインデックスの任意の２つの連携制御グループの関係も、同様に機器間の関係の連鎖により検索可能となる。
【０１０７】
図１６に示すように、グループ番号が２の連携制御グループは、グループ番号が１の連携制御グループと“同一連動”の関係にある。ここで、“同一連動”とは、リモコン１３と、リモコン１３からの制御設定に対して連動して動作する室内機１２との関係である。ここで、変換元のグループ番号＝２、変換先のグループ番号＝１、というように連携制御グループの定義を遡るような逆の設定を行うようにしてもよい。また、変換元のグループ番号＝０、変換先のグループ番号＝２、というように、複数の関係を連鎖的に辿るような設定を行ってもよい。
【０１０８】
続いて、連携制御グループ変換部２６は、物件情報記憶部２１に記憶された情報に基づいて、変換元グループの機器アドレスリストを変換先グループの機器アドレスリストに対応付ける（ステップＳ５０３）。すなわち、連携制御グループ変換部２６は、物件情報記憶部２１に記憶されたレイアウト情報を参照して、変換元の機器アドレスに対応する各機器について、取得したグループ間の関係を辿り、対応する変換先の機器アドレスを決定していく。
【０１０９】
例えば、図２に示すレイアウト情報を有する場合、変換先グループである｛グループ番号＝２、インデックス＝０、機器アドレスリスト＝１０１，１０２｝に、変換元グループである｛グループ番号＝１、インデックス＝０、機器アドレスリスト＝１，２，３｝が、対応付けられる。図２に示すように、機器アドレス１、２の室内機１２と同一連動の関係にあるリモコンは、機器アドレス１０１のリモコン１３である。このことから、機器アドレス１、２の室内機１２は、機器アドレス１０１のリモコン１３に対応付けられる。同様に、機器アドレス３の室内機１２は、機器アドレス１０２のリモコン１３に対応付けられる。同様に、機器アドレス４、５の室内機１２は、機器アドレス１０３のリモコン１３に対応付けられる。
【０１１０】
続いて、連携制御グループ変換部２６は、対応付けの結果を、連携制御変換グループのデータ取得機器アドレスリストに格納する（ステップＳ５０４）。ここで、図１７に示すデータ取得機器アドレスリストが得られる。
【０１１１】
続いて、連携制御グループ変換部２６は、連携制御グループの機器アドレスリストに、変換先の機器アドレスリストを格納する（ステップＳ５０５）。図１６に示す例では、グループ番号３の機器アドレスリストにグループ番号２の機器アドレスリストが格納される。一連の処理実行後、図１８に示す連携制御グループが得られる。この連携制御グループが、連携制御グループ記憶部２４に記憶される。図１７及び図１８を比較するとわかるように、例えば、連携制御グループ（図１８参照）のグループ番号＝３、インデックス＝０の機器アドレスリスト｛１０１｝に対応する連携制御変換グループ（図１７）には、データ取得機器アドレスリストの欄には、｛１、２｝が格納される。
【０１１２】
続いて、連携制御グループ作成部２３は、連携制御グループ設定パラメータ群のレコードを全て読み出したか否かを判定する（ステップＳ４００）。
【０１１３】
全て読み出した場合（ステップＳ４００；Ｙｅｓ）、制御実行部２５は、読み込んだ連携制御グループが、上述のグループ変換動作により、変換された連携制御グループであるか否かを判定する（ステップＳ６０１）。
【０１１４】
変換された連携制御グループでない場合（ステップＳ６０１；Ｎｏ）、制御実行部２５は、制御アルゴリズム記憶部２２に設定された機器制御を一定の周期で繰り返し実行する。
【０１１５】
まず、制御実行部２５は、全ての連携制御グループについて機器データを取得する（ステップＳ４０１）。
【０１１６】
続いて、制御実行部２５は、取得した機器データに基づいて、制御アルゴリズムに設定された演算を実行する（ステップＳ４０２）。
【０１１７】
最後に、制御実行部２５は、制御アルゴリズムの演算結果でデータの設定が行われた連携制御グループの機器に対して制御命令を、空調通信ネットワーク２を介して送信する（ステップＳ４０３）。
【０１１８】
一方、変換された連携制御グループである場合（ステップＳ６０１；Ｙｅｓ）、制御実行部２５は、ステップＳ５０１〜Ｓ５０５で作成された連携制御変換グループに基づいて、制御アルゴリズムを実行するにあたり、ステップＳ６０２、Ｓ６０３を実行して、変換された連携制御グループの機器データを取得する。以下、機器データの取得方法について説明する。
【０１１９】
制御実行部２５は、連携制御変換グループ記憶部２７に記憶された連携制御変換グループに基づいて、他方の連携制御グループ（変換元のグループ）の機器データ、すなわちデータ取得機器アドレスリストに含まれる機器データを取得する（ステップＳ６０２）。例えば、グループ番号＝３、インデックス＝０の場合には、機器アドレス１、２、３の室内機１２から機器データが取得され、インデックス＝１の場合には、機器アドレス４、５の室内機１２から機器データが取得される（図１７参照）。
【０１２０】
続いて、制御実行部２５は、データ取得機器アドレスリストで、１台の機器に対して複数台の機器（要素）が対応付けられている場合、各要素の機器データの平均値を、機器データとして取得する（ステップＳ６０３）。例えば、グループ番号３、インデックス＝０の連携制御変換グループでは、機器アドレス１、２の室内機１２が同じ機器に対応付けられているので、機器アドレス１、２の室内機１２のデータの平均値が、機器データとして取得される。
【０１２１】
なお、ここで、機器データの平均値でなく、それらの合計値や差分値を算出するようにしてもよい。
【０１２２】
機器データの取得後は、制御実行部２５は、取得した機器データに基づいて、制御アルゴリズムに設定された演算を実行する（ステップＳ４０２）。このような変換により、異なる種類の機器データを代用した数値演算が可能となる。
【０１２３】
最後に、制御実行部２５は、制御アルゴリズムの演算結果で機器データの設定が行われた連携制御グループの機器に対する制御命令を、空調通信ネットワーク２を介して空気調和機（１１、１２、１３）に送信する（ステップＳ４０３）。この制御命令に従って、空気調和機（１１、１２、１３）が動作する。ステップＳ４０３を終了すると、処理は、ステップＳ６０１に戻る。
【０１２４】
以上詳細に説明したように、この実施の形態によれば、連携制御グループの変換方法に基づいて、連携制御グループ同士の対応付けが自動的に決定される。これにより、ある連携制御グループから取得した機器データを他の連携制御グループの機器データとして扱えるようにすることができる。
【０１２５】
この場合にも、制御アルゴリズムには、演算処理と制御値の設定処理のみを記述するだけで足りる。これにより、施工時に制御アルゴリズムを設定する際の設定ミスの発生率を低減することができる。また、機器の台数等が異なる物件であっても、同じ制御アルゴリズムと連携制御グループとを用いることができるので、それらの再利用性を向上することができる。
【０１２６】
また、連携制御グループを変換する機能を備えることで、制御アルゴリズムにおいて、異なる種類の機器間での機器データの比較や数値演算を行うことも可能となる。このようにすれば、制御アルゴリズムで記述できる制御内容を大幅に拡張することができるので、フレキシブルな連携制御が可能になる。
【０１２７】
なお、上記実施の形態において、実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【０１２８】
また、プログラムをインターネット等の通信ネットワーク上の所定のサーバ装置が有するディスク装置等に格納しておき、例えば、搬送波に重畳させて、ダウンロード等するようにしてもよい。
【０１２９】
また、上述の機能を、ＯＳ（Operating System）が分担して実現する場合またはＯＳとアプリケーションとの協働により実現する場合等には、ＯＳ以外の部分のみを媒体に格納して配布してもよく、また、ダウンロード等してもよい。
【０１３０】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【０１３１】
この発明は、複数の空気調和機を用いて空調を行うシステムに好適に採用され得る。
【符号の説明】
【０１３２】
１  空気調和機制御装置、２  空調通信ネットワーク、１１  室外機、１２  室内機、１３  リモートコントローラ（リモコン）、１５  居住空間、２０  グループ化情報記憶部、２１  物件情報記憶部、２２  制御アルゴリズム記憶部、２３  連携制御グループ作成部、２４  連携制御グループ記憶部、２５  制御実行部、２６  連動制御グループ変換部、２７  連携制御変換グループ記憶部
【図１】
0005963949.tif 000002
【図２】
0005963949.tif 000003
【図３】
0005963949.tif 000004
【図４】
0005963949.tif 000005
【図５】
0005963949.tif 000006
【図６】
0005963949.tif 000007
【図７】
0005963949.tif 000008
【図８】
0005963949.tif 000009
【図９】
0005963949.tif 000010
【図１０】
0005963949.tif 000011
【図１１】
0005963949.tif 000012
【図１２】
0005963949.tif 000013
【図１３】
0005963949.tif 000014
【図１４】
0005963949.tif 000015
【図１５】
0005963949.tif 000016
【図１６】
0005963949.tif 000017
【図１７】
0005963949.tif 000018
【図１８】
0005963949.tif 000019
【図１９】
0005963949.tif 000020